(57)【特許請求の範囲】
【請求項１】
一側の下部には搾り汁を排出する排出口が形成され、内部空間が形成されたハウジングと、前記内部空間に嵌入され、粉砕部及び排出網が形成された網ドラムと、前記網ドラムの内部に嵌入されて回転棒を中心として水平に回転し、前記回転棒の外面には多数のスクリュー螺旋が形成されたスクリューと、調節キャップ付きハウジング蓋体と、を備える搾汁機において、
残渣が排出される調節キャップの円筒状の遮断部とスクリュー先端との間に軟質弾性体を取り付けて、前記調節キャップの回転により前記軟質弾性体の裏面を押すようにしたことを特徴とする搾汁機。
【請求項２】
前記軟質弾性体はリング状を呈し、前記網ドラムの先端には網ドラムの側面リングが形成されて前記軟質弾性体を支持することを特徴とする請求項１に記載の搾汁機。
【請求項３】
調節キャップの円筒状の遮断部は、調節キャップと一体に形成されたことを特徴とする請求項１に記載の搾汁機。
【発明の詳細な説明】
【技術分野】
【０００１】
本発明は、野菜・果物から汁を搾ることのできる搾汁機に関する。
【背景技術】
【０００２】
昨今は凄まじい健康ブームで、多くの人々が新鮮な野菜を用いて自ら青汁を搾ったり果物などから果汁を搾ったりしており、一般家庭でも簡単に青汁や果汁を搾ることのできる搾汁機が多く販売されている。
【０００３】
搾汁機の例としては、本出願人によって出願され特許として登録されたものがある（例えば、下記の特許文献１参照）。図１は、従来の技術による搾汁機の構造を示す断面図である。図１に示すように、従来の技術による搾汁機１は、長尺なスクリュー３０が網ドラム４０とともにハウジング１０に水平に組み付けられて駆動部の側面に回転軸３１により係合されており、投入口２１に青汁の材料を投入すれば、水平に徐々に移送されながら搾汁が行われるようになっている。
【０００４】
従来の技術においては、硬質の円筒状の遮断部８５を右側方向に押して遮断部８５とスクリューとの間の空間に排出される残渣が硬質の円筒状の遮断部８５によって押されるようにして残渣とともに搾り汁が流出しないようにしていた。また、それぞれの材料に合う最高の搾汁率を得るために、硬質の円筒状の遮断部８５を右側に押す力の大きさを、調節キャップ８１の回転量に応じて、弾性ばねや伸縮性のゴムパッキン９０などの弾性によって適切に調節する。
【０００５】
しかしながら、従来の技術においては、残渣が網ドラム４０とスクリュー３０との間の残渣排出部位を介して排出され、硬質の円筒状の遮断部８５を押せば、遮断部８５とスクリューとの間の空間のごく一部分のみから残渣が排出されても硬質の円筒状の遮断部８５全体が左側に押されながら残渣が排出されない周りの空間も開放されてその部分に搾り汁が流出し易くなるという問題点があった。
【先行技術文献】
【特許文献】
【０００６】
【特許文献１】韓国特許登録公報第６０９３９０号
【発明の概要】
【発明が解決しようとする課題】
【０００７】
本発明は上記の問題点を解消するために案出されたものであり、残渣が硬質の円筒状の遮断部とスクリューとの間の空間のごく一部分のみから排出されても搾り汁が容易に流出しないように、材料の特性に合う最高の搾汁率を得ることのできる搾汁機を提供するところにその目的がある。
【課題を解決するための手段】
【０００８】
本発明は、一側の下部には搾り汁を排出する排出口が形成され、内部空間が形成されたハウジングと、前記内部空間に嵌入され、粉砕部及び排出網が形成された網ドラムと、前記網ドラムの内部に嵌入されて回転棒を中心として水平に回転し、前記回転棒の外面には多数のスクリュー螺旋が形成されたスクリューと、調節キャップ付きハウジング蓋体と、を備える搾汁機において、残渣が排出される調節キャップの円筒状の遮断部とスクリュー先端との間に軟質弾性体を取り付けることを特徴とする。
【０００９】
また、本発明において、前記軟質弾性体はリング状を呈し、前記網ドラムの先端には網ドラムの側面リングが形成されて前記軟質弾性体を支持することが好ましい。
【００１０】
さらに、本発明において、調節キャップの円筒状の遮断部は、調節キャップと一体に形成されることが好ましい。
【発明の効果】
【００１１】
本発明は、一側の下部には搾り汁を排出する排出口が形成され、内部空間が形成されたハウジングと、前記内部空間に嵌入され、粉砕部及び排出網が形成された網ドラムと、前記網ドラムの内部に嵌入されて回転棒を中心として水平に回転し、前記回転棒の外面には多数のスクリュー螺旋が形成されたスクリューと、調節キャップ付きハウジング蓋体と、を備える搾汁機において、残渣が排出される調節キャップの円筒状の遮断部とスクリュー先端との間に軟質弾性体を取り付けて、調節キャップの回転よって弾性体の裏面を押すことにより、残渣の排出強度を調節する。したがって、残渣が硬質の円筒状の遮断部とスクリュー先端との間のリング状の空間のごく一部分のみから排出される場合にも、残渣が排出されるごく一部分の空間にある軟質弾性体が変形を引き起こして残渣が排出され、リング状の空間のうち残渣が排出されない空間では軟質弾性体が変形されないので、搾り汁が、残渣が排出されない空間に容易に流出しないように材料の特性に合う最高の搾汁率を得ることができる。
【００１２】
また、本発明において、前記軟質弾性体はリング状を呈し、前記網ドラムの先端には網ドラムの側面リングが形成されて前記軟質弾性体を支持する。したがって、硬質の円筒状の遮断部とスクリュー先端との間のリング状の空間を全て密閉して、搾り汁が容易に流出しないように材料の特性に合う最高の搾汁率を得ることができる。
【００１３】
さらに、調節キャップの円筒状の遮断部は、調節キャップと一体に形成される。したがって、残渣の排出強度を調節キャップにより容易に調節することができる。
【図面の簡単な説明】
【００１４】
【図１】従来の技術による搾汁機の構成を示す断面図である。
【図２】本発明に係る搾汁機の構成を示す分解斜視図である。
【図３Ａ】本発明に係る搾汁機の構成を示す断面図である。
【図３Ｂ】本発明に係る搾汁機の構成要素のうち軟質弾性体を押し付けた状態を示す断面図である。
【発明を実施するための形態】
【００１５】
以下、添付図面に基づき、本発明の好適な実施形態に係る搾汁機について詳述する。なお、本明細書および特許請求の範囲に用いられる用語は、通常的または辞書的な意味に限定して解釈されてはならず、発明者は、自身の発明を最も最良の方法により説明するために用語の概念を適法的に定義することができるという原則を踏まえて、本発明の技術的思想に当てはまる意味および概念として解釈されるべきである。
【００１６】
したがって、本明細書に記載の実施形態及び図示の構成は本発明の最良の実施形態に過ぎず、本発明の技術的思想全てを代弁するものではないため、本出願時点においてこれらに代えうる種々の均等物及び変形例がありうるということが理解されるべきである。
【００１７】
図２及び図３に示すように、本発明は、一側の下部には搾り汁を排出する排出口が形成され、内部空間が形成されたハウジングと、前記内部空間に嵌入され、粉砕部及び排出網が形成された網ドラムと、前記網ドラムの内部に嵌入されて回転棒を中心として水平に回転し、前記回転棒の外面には多数のスクリュー螺旋が形成されたスクリューと、調節キャップ付きハウジング蓋体と、を備える搾汁機において、残渣が排出される調節キャップの円筒状の遮断部とスクリュー先端との間に軟質弾性体を取り付けたことを特徴とする。
【００１８】
また、本発明において、前記軟質弾性体はリング状を呈し、前記網ドラムの先端には網ドラムの側面リングが形成されて前記軟質弾性体を支持することが好ましい。
【００１９】
さらに、本発明において、前記調節キャップの円筒状の遮断部は、調節キャップと一体に形成されることが好ましい。
【００２０】
図２は、搾汁機の構成を示す分解斜視図である。同図に示すように、本発明に係る搾汁機は、ハウジング１００と、スクリュー３００と、網ドラム４００と、ハウジング蓋体５００及び調節キャップ８００を備える。
【００２１】
ハウジング１００は、一側の上部にホッパー１２５と連通された投入管２００が形成され、一側の下部には、搾り汁を排出する排出口１３０が形成され、内部に内部空間１９０が形成される。前記内部空間１９０は、円筒状（シリンダー）を呈し、左・右側が開放されていることが好ましい。また、前記内部空間１９０を形成する前記ハウジング１００の左側にハウジング蓋体５００と係合される係合爪１４０が形成され、投入管２００の上部には材料を投入する投入口１２０が形成される。
【００２２】
スクリュー３００は、ハウジング１００の右側に突き出て外部のモーター（図示せず）などの駆動装置によって駆動力を受け取る回転軸３１０と、この回転軸３１０に一体に形成される回転棒３２０と、を備え、ハウジングの内部空間１９０に回転棒３２０を中心として回転自在に水平に嵌入され、回転棒３２０の外面には多数のスクリュー螺旋３３０が形成されて材料を移送・粉砕する機能を行う。
【００２３】
網ドラム４００は、粉砕部４１０及び排出網４２０を備え、ハウジング１００の内部に水平に嵌入する。粉砕部４１０は、中空の円錐状を呈し、スクリュー３００の周りを囲繞するように設けられてスクリュー３００によって前方（左側）に移送された材料が粉砕されるように導く。粉砕部４１０内においてスクリュー３００によって材料が粉砕され、このときに得られた搾り汁は、粉砕部４１０の後方に設けられたろ過網４８０を介して搾り汁排出口１３０に排出される。排出網４２０は、粉砕部４１０から前方（左側）に延設されてスクリュー先端３５０の外側面と接して材料を排出する。
【００２４】
網ドラム４００の左側面には、側面リング４４０が形成される。側面リング４４０には、軟質弾性体リング９００の一方の面を支持する嵌合溝４５０が形成される。
【００２５】
ハウジング蓋体５００には中心に通孔が形成され、ハウジング蓋体５００の一側にはハウジング係合爪１４０と係合される係合突起５２０が形成され、他方側には調節キャップ８００に嵌合されるフランジ５３０が形成され、前記フランジ５３０の外周面にテーパー状の突起５１０が形成される。
【００２６】
調節キャップ８００には中心に通孔が形成された円筒状の遮断部８５０が形成され、前記円筒状の遮断部８５０の外部には前記フランジ５３０が嵌合される溝部８３０が形成され、溝部の一側の内面には前記テーパー状の突起５１０と係合される傾斜面が形成された傾斜面突起部８２０が形成される。前記傾斜面突起部８２０は、調節キャップ８００を回すことにつれて、図３Ａ及び図３Ｂに示すように、テーパー状の突起５１０によって調節キャップ８００を左右動させるように円周方向に傾斜が形成される。
【００２７】
好ましくは、前記調節キャップは、円筒状の遮断部８５０と溝部８３０とが一体に形成される。
【００２８】
前記軟質弾性体９００は、リング状を呈し、前記網ドラムの先端に形成された網ドラムの側面リング４４０によって支持され、好ましくは、側面リング４４０に形成された嵌合溝４５０に嵌まり込む。
【００２９】
本発明の搾汁機の動作について説明すれば、下記の通りである。
【００３０】
搾汁機１００の投入管２００の投入口１２０に材料が投入されれば、材料は、ハウジング１００の内部においてスクリュー３００によってハウジング１００の左側に向かって移送される。また、移送された材料がスクリュー３００と粉砕部４１０との間で粉砕され、このときに得られる搾り汁は、粉砕部４１０の後方に設けられたろ過網４８０を介して搾り汁排出口１３０に排出される。
【００３１】
粉砕部４１０を通過した材料は、スクリュー３００の回転によって前方に移送され続け、排出網４２０においてスクリュー３００によって圧縮されながら排出が行われる。
【００３２】
ハウジング蓋体５００の前方に回転自在に係合される調節キャップ８００を回すと、ハウジング蓋体５００のテーパー状の突起５１０とこれと係合される調節キャップ８００の傾斜面突起部８２０のそれぞれに形成された傾斜の作用によって調節キャップ８００がハウジング蓋体５００に対して前後方向に移動して軟質弾性体リング９００が押し付けられるため、スクリュー先端３５０を押し付ける力も変わって押出力が変わることになる。すなわち、ユーザーは、材料の種類に応じて調節キャップ８００を回して、搾汁機１００の押出力を微細に調節することができる。
【００３３】
上述したように動作するスクリュー３００によって搾汁機１００の前方に移送されながら搾汁された材料は、円筒状の遮断部８５０を通過した後に搾汁機１００の前方の下側方向に排出される。
【００３４】
上記の動作過程で、調節キャップ８００の円筒状の遮断部８５０と残渣が排出される網ドラム４００の先端との間に軟質弾性体９００を取り付けて、調節キャップ８００の回転によって軟質弾性体９００の裏面を押すことにより、残渣の排出強度を調節する。
【００３５】
このため、残渣が硬質の円筒状の遮断部８５０とスクリュー３００との間のリング状の空間のごく一部分のみから排出される場合には、残渣が排出されるごく一部の空間にある軟質弾性体９００が変形を引き起こして残渣が排出され、リング状の空間のうち残渣が排出されない空間では軟質弾性体９００が変形されないので、搾り汁が残渣が排出されない空間に容易に流出しないように材料の特性に合う最高の搾汁率を得ることができる。
【００３６】
また、好ましくは、本発明において、前記軟質弾性体９００はリング状を呈し、前記網ドラム４００の先端には網ドラムの側面リング４４０が形成されて前記軟質弾性体９００を支持することによって、硬質の円筒状の遮断部８５０とスクリュー３００との間のリング状の空間を全て密閉して搾り汁が容易に流出しないように材料の特性に合う最高の搾汁率を得ることができる。
【００３７】
さらに、好ましくは、本発明において、前記軟質弾性体は、網ドラムの側面リングに形成された嵌合溝４５０に嵌まり込むことにより、前記軟質弾性体は常に一定の位置に取り付けられる。
【００３８】
また、本発明において、前記調節キャップ８００の円筒状の遮断部８５０は調節キャップ８００と一体に形成されることにより、調節キャップ８００を回すことにより円筒状の遮断部８５０も同様に回転し、残渣の排出強度を調節キャップ８００により容易に調節することができる。
【００３９】
上述したように、本発明は限定された実施形態及び図面によって説明されたが、本発明はこれに限定されるものではなく、本発明が属する技術分野において通常の知識を有する者によって本発明の技術思想と、後述する特許請求の範囲の均等範囲内において、種々に修正及び変形可能であるということはいうまでもない。
【符号の説明】
【００４０】
１００  ハウジング    
１２０  投入口
１２５  ホッパー      
１２６  投入口側突条
１３０  排出口
１４０  係合爪
１９０  内部空間
２００  投入管
３００  スクリュー    
３１０  回転軸
３２０  回転棒
３３０  スクリュー螺旋
３５０  スクリュー先端
４００  網ドラム
４１０  粉砕部
４２０  排出網
４３０  係止爪
４４０  側面リング
４５０  嵌合溝
５００  ハウジング蓋体
５１０  テーパー状の突起
５２０  係合突起
５３０  フランジ      
８００  調節キャップ
８５０  円筒状の遮断部
９００  軟質弾性体
【図２】
0005826922.tif 000002
【図１】
0005826922.tif 000003
【図３Ａ】
0005826922.tif 000004
【図３Ｂ】
0005826922.tif 000005